(57)【要約】本発明の空気イオン化装置（１）は、パルス空気流を生成するためのロータ（８）、及び、この空気流を導くための排気管（９）を備えたブロワ（７）と、・高電圧ジェネレータ（１５）、及び、・高電圧ジェネレータ（１５）に接続され、導電性材料のフィラメント（１８）の束で形成された自由端（１７）が排気管（９）の正面に延在し、コロナ放電によってそこからイオンを放出する電極（１６）を備えたイオン生成装置（１４）と、・排気管（９）の延長部内へ延在し、圧縮室を画定するパイプ（３９）、及び、・パイプ（３９）を延長し、内面（４３）から反対側の外面（４４）まで延在する一連のチャンネル（４２）を有するエクスパンダ（４１）を設けたディフューザ（３８）と、をケース内に有する。【選択図】図１
2021501034.tif 000002
【特許請求の範囲】
【請求項１】
ケース（２）と、このケース（２）内に
パルス空気流を生成するためのロータ（８）、及び、この空気流を導くための排気管（９）を含むブロワ（７）と、
・高電圧ジェネレータ（１５）、及び、
・高電圧ジェネレータ（１５）に接続され、導電性材料のフィラメント（１８）の束で形成された自由端（１７）が排気管（９）の正面に延在し、コロナ放電によってそこからイオンを放出する少なくとも一つの電極（１６）
を含むイオン生成装置（１４）と、
を有する空気イオン化装置（１）であって、
・排気管（９）の延長部内へ延在し、圧縮室（４０）を画定するパイプ（３９）、及び、
・パイプ（３９）を延長し、圧縮室（４０）に隣接する内面（４３）から反対側の外面（４４）まで延在する一連のチャンネル（４２）を有するエクスパンダ（４１）
を設けたディフューザ（３８）を、更に有することを特徴とする空気イオン化装置（１）。
【請求項２】
チャンネル（４２）が、エクスパンダ（４１）の内面（４３）から外面（４４）まで、互いに離れていることを特徴とする、請求項１に記載の空気イオン化装置（１）。
【請求項３】
各チャンネル（４２）が、エクスパンダ（４１）の内面（４３）から外面（４４）に向かって先細りになっていることを特徴とする、請求項１又は２に記載の空気イオン化装置（１）。
【請求項４】
電極（１６）の自由端（１７）を取り囲む金属リング（４８）を有していることを特徴とする、請求項１〜３のいずれかに記載の空気イオン化装置（１）。
【請求項５】
金属リング（４８）が、電極（１６）のフィラメント（１８）の束を取り囲むフレア部分（４９）を有していることを特徴とする、請求項４に記載の空気イオン化装置（１）。
【請求項６】
金属リング（４８）が電極（１６）に圧着されていることを特徴とする、請求項４又は５に記載の空気イオン化装置（１）。
【請求項７】
金属リング（４８）が銅製であることを特徴とする、請求項４〜６のいずれかに記載の空気イオン化装置（１）。
【請求項８】
金属リング（４８）の表面が銀であることを特徴とする、請求項４〜６のいずれかに記載の空気イオン化装置（１）。
【請求項９】
ケース（２）が、ベース（３）と、少なくともディフューザ（３８）の正面に穿孔（６）が設けられたカバー（４）とを有していることを特徴とする、請求項１〜８のいずれかに記載の空気イオン化装置（１）。
【請求項１０】
高電圧ジェネレータ（１５）に給電する回路を開閉するスイッチ（２６）を設けた電子制御基板（２１）を有し、また、スイッチ（２６）に接続されたプッシュボタン（３５）をケース（２）に設けたことを特徴とする、請求項１〜９のいずれかに記載の空気イオン化装置（１）。
【発明の詳細な説明】
【技術分野】
【０００１】
本発明は、イオナイザの分野に関する。
【背景技術】
【０００２】
イオナイザは、一般に空気を浄化するために使用されている。原理は非常にシンプルで、コロナ放電に基づいている。高電圧（及び低電流）の電源に接続された一つ（又は複数）の電極が、放電を伴って、周囲の媒体のイオン化を引き起こす。
【０００３】
実際に電極は、非常に細いフィラメント（例えば、電気導体として扱われるグラスファイバー製又はカーボンファイバー製の）によって形成する（少なくとも一方の自由端において）ことができる。これらのフィラメントは、ブロワによって生成される空気流の中に配置され、イオンが送出される。
【０００４】
イオンは、空気中に浮遊している粒子と結合し、重くなって、地面に対する平坦化に寄与する。
【０００５】
米国特許第５２６８００９号には、この技術を使用した典型的なイオナイザが記載されている。
【先行技術文献】
【特許文献】
【０００６】
【特許文献１】米国特許第５２６８００９号公報
【発明の概要】
【発明が解決しようとする課題】
【０００７】
近年、イオナイザーが、体臭に引き寄せられる虫（特に双翅目）（特にメスの蚊）の駆除に貢献できることが発見された。実際、これらの体臭は粒子（特に発汗）によって運ばれ、イオナイザーからのイオンと結合することによって、地面への平坦化が可能であることが証明されている。
【０００８】
換言すれば、イオナイザの使用により、虫（特に蚊）がいる環境にさらされる人間（又は動物）を持続的に脱臭することができ、人間（又は動物）を、見えない方法で虫刺されから保護することができる。
【０００９】
イオナイザを首や手首に装着することが提案されている。しかし、それらの範囲は限られており、複数の人間を同時に保護することはできない。
【００１０】
イオナイザーの範囲を拡大するための最も簡単な方法は、送風力を増加させることである。しかしこの場合、イオナイザーの消費電力が増加することになり、特に移動中や、商用電源を利用できない場所での長時間の使用に適合しない。
【００１１】
従って本発明の第一の目的は、適度な消費電力で、範囲が拡大されたイオナイザを提案することである。
【００１２】
本発明の第二の目的は、大量のイオンを放散することができ、特に、大量のイオンの中で、虫（特に蚊）の嗅覚によって人間が感知されないようにするイオナイザを提案することである。
【課題を解決するための手段】
【００１３】
この目的のため、ケースと、このケースの中に配置される
−  ブロワ（パルス空気流を生成するためのローター；この空気流を導くための排気管；を含む）と、
−  イオン生成装置（高電圧ジェネレータ；高電圧ジェネレータに接続され、導電性材料のフィラメントの束で形成された自由端が、排気管の正面に延在し、コロナ放電によってそこからイオンを放出する少なくとも一つの電極；を含む）と、
−  ディフューザ（排気管の延長部内へ延在し、圧縮室を画定するパイプ；パイプを延長し、圧縮室に隣接する内面から反対側の外面まで延在する一連のチャンネルを有するエクスパンダ；を備えた）と、
を有する空気イオン化装置（イオナイザ）が提案される。
【００１４】
ディフューザには、イオナイザーの範囲（及び有効性）のために、通過する空気流を加速する効果がある。
【００１５】
各種の特徴を、個別に追加し、又は、組み合わせることができる。例えば、
−  チャンネルを、エクスパンダの内面から外面まで相互に延在させる。
−  各チャンネルを、エクスパンダの内面から外面に向かって先細りにする。
−  電極の自由端を取り囲む金属リングを設ける。
−  金属リングに、電極のフィラメントの束を取り囲むフレア部分（特に、円錐形又はピラミッド形）を形成する。
−  金属リングを電極に圧着する。
−  金属リングを銅製とする。
−  金属リングの表面を銀とする。
−  ベースと、少なくともディフューザの正面に穿孔を有するカバーとによってケースを構成する。
−  高電圧ジェネレータに給電する回路を開閉するスイッチを備えた電子制御基板を設け、また、スイッチに接続されたプッシュボタンをケースに設ける。
【００１６】
本発明の他の目的及び利点は、以下の添付図面に沿った実施形態の説明によって明らかにされる。
【図面の簡単な説明】
【００１７】
【図１】図１は、空気イオン化装置を示す分解斜視図である。
【図２】図２は、ブロワ及びこれに関連するディフューザの分解斜視図である。
【図３】図３は、ブロワ及びディフューザ（組み立てた状態）の部分切欠図である。
【図４】図４は、図３のＩＶ−ＩＶ面によるブロワ及びディフューザの断面図である。
【図５】図５は、図４のＶ−Ｖ面によるブロワ及びディフューザの断面図である。
【図６】図６は、空気イオン化装置（組み立てた状態）を示す部分切欠図である。
【発明を実施するための形態】
【００１８】
図１に空気イオン化装置を示す。以下、これを単にイオナイザー１と称する。このイオナイザ１は、空気中に浮遊する粒子（反対の電荷を有する）と関連させることを意図した一つ又は複数のパルスイオン流を生成するように設計されている。
【００１９】
パルスイオンと粒子の関連によって形成される分子（又は分子グループ）は重く、それらの重量の影響下で、地面に対して平坦化される。
【００２０】
有利には、イオナイザ１は、負のイオン（アニオン）（典型的にはＣＯ３イオン）を生成するように設計される。以下、その方法を示す。
【００２１】
第一に、イオナイザ１はケース２を有する。
【００２２】
図面の例では、ケース２はベース３及びカバー４によって構成されている。
【００２３】
ベース３は、サポート（例えばテーブル等）の上に置いたり、壁やパーティションに取り付けたり（壁掛け）、又は、天井に取り付けることができる（天井設置）。
【００２４】
図面の例では、ベース３は、実質的に正方形の輪郭（コーナーが丸くなっていることが好ましい）を有している。
【００２５】
有利には、カバー４はピラミッド型（ベース３の輪郭と相補的な基部を有する）である。
【００２６】
ベース３、及び、カバー４は、イオナイザー１の各種構成要素が配置される内部ボリューム５を規定する。
【００２７】
カバー４には、穿孔６が設けられている。これらの穿孔６は、カバー４における空気の通過を可能にする。
【００２８】
第二に、イオナイザ１は、少なくとも一つのブロワ７を有する。このブロワ７は、パルス空気流を生成するためのロータ８と、この空気流を導くための排気管９とを備えている。
【００２９】
図面には、ブロワ７が、送風機の形態で例示されている。ブロワ７は、ロータ８が回転可能なように取り付けられたボックス１０（ここでは円筒形）を有している。ボックス１０には、図示しない固定子（電流が供給され、ロータ８を回転させる回転磁界を生成するように設計されている）が搭載されている。
【００３０】
図面の例では、ロータ８は、シャフト１１と、多数の周辺ブレード１２（シャフト１１と一体化され、ロータ８の回転中に空気流を生成する）とを備えている。
【００３１】
図１に示す好ましい実施形態によれば、イオナイザ１は二つのブロワ７を備えている。ブロワ７は、例えば背中合わせの向きで配置される。つまり、生成される空気流は、反対方向へパルス化される。
【００３２】
特に図１に示すように、ボックス１０には、空気の入口（ここでは、ロータ８の真上の開口部１３によって形成される）が設けられている。
【００３３】
排気管９は、ここでは、ボックス１０の片側に作られた開口によって形成されている。図面の例では、排気管９の断面形状は長方形（又は正方形）となっているが、円形又は楕円形とすることもできる。
【００３４】
第三に、イオナイザ１は、イオン生成装置１４を有し、これは以下の要素を含んでいる。
・高電圧ジェネレータ１５；
・少なくとも一つの電極１６（高電圧ジェネレータ１５に接続され、導電性材料のフィラメント１８の束で形成された自由端１７が排気管９内で延在し、コロナ放電によってそこからイオンを放出する）。
【００３５】
高電圧ジェネレータ１５は、電源（例えば、変圧器を介して、バッテリー、セル、又は、商用電源）に接続される。高電圧ジェネレータ１５は、高電圧（数千ボルト又は数万ボルト）、かつ、低電流（数ミリアンペア、又は、数マイクロアンペア）の電気を生成するように設計されている。
【００３６】
図面に示す例では、イオナイザ１は二つのブロワ７を有しており、イオン生成装置１４は二つの電極１６（対応するブロワ７にそれぞれ組み付けられる）を備えている。
【００３７】
各電極１６は、高電圧ジェネレータに接続された導体１９を有している。損失を最小限に抑えるために、導体１９は、その長さの少なくとも一部にわたって、スリーブ２０（例えば、可撓性絶縁ポリマー製の）によって被覆されている。図２及び図３に示されるように、電極の自由端１７（即ち、フィラメント１８の束）は、剥き出しになっている。
【００３８】
フィラメント１８は、その全長にわたって纏まって導体１９を構成するか、又は、高電圧ジェネレータ１５に接続されたワイヤ（例えば金属製の）に接続されて、導体１９の一部を形成する。
【００３９】
第四に、イオナイザ１は、図１及び図５から明らかなように、制御エレクトロニクス（電子部品を含み、高電圧ジェネレータ１５に給電する回路を形成する集積回路基板２１の形態の）を有している。
【００４０】
図面の例では、基板２１は、変圧器２２（他の構成要素、及び、高電圧ジェネレータ１５に供給される平均電圧（１２Ｖ程度）を生成するように設計された）を有している。
【００４１】
基板２１は、端子ブロック２３（高電圧ジェネレータ１５に給電する導電体２４、及び、各ブロワ７に給電する導電体２５が接続される）をも有している。より詳細には、後者の導電体２５は、各ブロワ７の固定子に接続されている。
【００４２】
イオナイザ１の起動は、例えば、リモートコントロール（赤外線又は無線周波数）により、或いは、イオナイザー１に給電する回路に搭載されたリモートスイッチを使用して、遠隔的に制御することができる。 
【００４３】
イオナイザー１の起動は、直接操作することによっても実行できる。図１及び図５に示す実施形態によれば、基板２１は、高電圧ジェネレータ１５に給電する回路を開閉するためのスイッチ２６を備えている。
【００４４】
このスイッチ２６は、例えばロッド２７を含む。このロッド２７は、回路が開いている高い位置（高電圧ジェネレータ１５と各ブロワ７に給電されない）と、回路が閉じている低い位置（高電圧ジェネレータ１５と各ブロワ７に給電される）との間を並進するように取り付けられている。
【００４５】
構築上の観点から、高電圧ジェネレータ１５は、図１及び図５に示すように、ベース３の底面２８に取り付けられている。各ブロワ７は、プレート２９（例えばプラスチック製の）に取り付けられている。このプレート２９は、ベース３に固定されている。図面の例では、ベース３の底面２８から突出するファンネル３０にプレート２９が取り付けられている。プレート２９は、例えばネジ３１によってファンネル３０の上に固定される。
【００４６】
図１に示すように、各ブロワ７は、プレート２９から突出する相補的なハウジング３２に嵌め込まれる。各ブロワ７は、例えばネジによってプレート２９の上に固定される。
【００４７】
図１及び図５に示す好ましい実施形態によれば、電子基板２１は、ブロワの上に取り付けられる。このため、基板２１は、プレート２９から突出するピン３３に取り付けられる。基板２１は、例えばネジ３４によってピン３３の上に固定される。
【００４８】
図面において、カバー４は、角錐台の形態で例示されており、トップカバー３５（例えば半球状の）が上に載置されている。
【００４９】
有利には、トップカバー３５の周囲とカバー４との間に隙間３６が設けられる。
【００５０】
この隙間３６は、まず、ブロワ７に外気を供給するための空気導入口を形成する。
【００５１】
次に、隙間３６は、イオナイザ１の動作表示灯（例えば、電子制御基板２１に搭載された発光ダイオード３７（ＬＥＤ））から放出される光の通路を形成する。
【００５２】
図１及び図５に示す好ましい実施形態によれば、イオナイザー１の起動は、直接的な手動操作によって実行され、トップカバー３５は、スイッチ２６に接続されたプッシュボタンを形成する。トップカバー３５の操作（指又は手で単に押下する）により、スイッチ２６のロッド２７を介して、高電圧ジェネレータ１５及びブロアに給電する回路の開閉が可能になる。図５に示す実施形態によれば、トップカバー３５は、ロッド２７に圧入されており、しっかりと支持される。
【００５３】
動作中、各ロータ８は、排気管９を通るパルス空気流を生成する。電極１６のフィラメント１８（高電圧ジェネレータ１５から高電圧が供給される）は、大量のイオンの生成を伴う放電（コロナ放電）を生成する。これらのイオンは、空気流によって送出され、カバー４の穿孔６を通ってイオナイザ１の外へ排出される。
【００５４】
第五に、イオナイザ１は、イオナイザ１の範囲の拡大、即ち、イオンが放出される距離を増大させるために、ブロワ７毎にディフューザ３８を有する。
【００５５】
このディフューザ３８には、
・パイプ３９（排気管９の延長部内へ延在し、圧縮室４０を画定する）、及び、
・エクスパンダ４１（パイプ３９を延長し、圧縮室４０に隣接する内面４３から反対側の外面４４まで延在する一連のチャンネル４２を有する）
が設けられている。
【００５６】
図面の例では、ディフューザ３８は単一片である（プラスチック製が好ましい）。
【００５７】
パイプ３９は、排気管９と同一の又は相補的な断面を有している。図面の例では、パイプ３９は長方形（又は正方形）の断面を有している。
【００５８】
ディフューザ３８は、ブロワ７のボックス１０に直接固定することができる。図面の例では、ディフューザ３８には、パイプ３９から突出し、排気管９内に圧入される（又はスナップ嵌合される）雄型端部４５が設けられている。
【００５９】
図２に示すように、ディフューザ３８、及び／又は、ブロワ７には、ノッチ４６が設けられている。これにより、フィラメント１８の束が排気ダクト９の正面に延在するように、電極１６を通過させ（図３）、及び、固定することができる（図２）。図面に示す例では、ディフューザ３８とブロワ７のボックス１０の双方に、相補的なノッチ４６が設けられており、ディフューザ３８がボックス１０に取り付けられると、それらによって開口部４７が形成され、電極１６がそこを通過し、排気管９とパイプ３９との接合部においてフィラメント１８が延在する。
【００６０】
図面（特に図３）には、九つのチャンネル４２が示されているが、この数は単なる例示である。チャンネル４２の数は、より少なくても、より多くてもよい。
【００６１】
チャンネル４２は、エクスパンダ４１の内面４３から外面４４まで、互いに離れていることが好ましい。チャンネル４２の通路の断面積の合計は、排気管９（及びパイプ３９）の通路の断面積よりも小さい。その結果、空気は、圧縮室４０（エクスパンダ４１の内面４３の上流、かつ、その近傍にある）内で圧縮される。
【００６２】
従って、チャンネル４２内の空気（イオンがチャージされた）の移動速度は、排気管９内の空気の移動速度よりも大きくなる（図５において、空気流を白い矢印で示す）。
【００６３】
換言すれば、ディフューザ３８は、エクスパンダ４１において、内面４３を通って進入する空気流を加速させる。その結果、イオンは、ディフューザ３８を使用しない場合よりも遠くまで（イオナイザ１の外側）、放出される。これにより、イオナイザ１の範囲（効率）が拡大される。
【００６４】
更に、好ましい実施形態によれば、各チャンネル４２は、エクスパンダ４１の内面４３から外面４４に向かって先細りになっており、これにより空気流の加速効果が増大し、従って、イオナイザー１の範囲が拡大される。
【００６５】
カバー４の穿孔６は、少なくとも各ディフューザ３８の正面に延在する。これは、各チャンネル４２が穿孔６の正面に開口することを確実にし、排出される空気流のリバウンドが最小限となる。図面に示す例では、穿孔６がカバー４の表面全体にわたって設けられている。
【００６６】
エクスパンダの外面４４は、カバー４に対し可能な限り近傍まで延在することが好ましい。好ましい実施形態によれば、エクスパンダ４１の外面４４は、カバー４の内側をモールドする。
【００６７】
イオナイザ１は、フィラメント１８で生成されるイオンの密度を増加させるために、電極１６の自由端１７を取り囲む金属リング４８を備えることができる。
【００６８】
ゼロ電位に維持されたこの金属リング４８は、電極１６の自由端１７における放電（即ち、イオンの形成）の数を増加させることによって利得効果を奏する電気アースを形成する。
【００６９】
図２及び図３に示す好ましい実施形態によれば、金属リング４８は、電極１６のフィラメント１８の束を取り囲むフレア部分４９を有する。このフレア部分４９は、実際には互いに離れる傾向があるフィラメント１８の束をモールディングする機能を有する。図２において実線で示す実施形態によれば、リングのフレア部分４９は円錐形である。図２において破線で示す他の実施形態によれば、フレア部分４９はピラミッド形（底面が多角形となる）であり、いくつか（３以上）の面を有する。
【００７０】
有利には、金属リング４８は電極１６に圧着される。図３に示すように、金属リング４８は、開口部４７に嵌め込まれることが好ましい。金属リング４８は、銅製とすることができる。或いは、金属リングは表面が銀である。編組又はメッシュの形にすることもできる。
【図１】
2021501034.tif 000003
【図２】
2021501034.tif 000004
【図３】
2021501034.tif 000005
【図４】
2021501034.tif 000006
【図５】
2021501034.tif 000007
【図６】
2021501034.tif 000008
【国際調査報告】
2021501034.tif 000009
2021501034.tif 000010
2021501034.tif 000011
2021501034.tif 000012
2021501034.tif 000013
2021501034.tif 000014